(57)【要約】【課題】連続して配置される複数の被貼付対象物に貼付される印刷物を、家庭用のプリンタにより容易に作成する。【解決手段】連続して配置される複数の被貼付対象物に貼付される印刷物の印刷を制御するサーバ４は、被貼付対象物のサイズ及び配置を含む被貼付対象物情報を取得し、取得された被貼付対象物情報及び用紙のサイズに応じて画像データを分割し、分割された画像データを、印刷装置１１により印刷させるＣＰＵ４１を備える。【選択図】図１０
2018055297.tif 000002
【特許請求の範囲】
【請求項１】
連続して配置される複数の被貼付対象物に貼付される印刷物の印刷を制御する印刷制御装置において、
前記被貼付対象物のサイズ及び配置を含む被貼付対象物情報を取得する取得手段と、
前記取得手段により取得された前記被貼付対象物情報及び用紙のサイズに応じて画像データを分割し、分割された前記画像データを、印刷部により印刷させる印刷制御手段と、を備えることを特徴とする印刷制御装置。
【請求項２】
前記印刷制御手段は、前記被貼付対象物情報に基づき、前記印刷物が前記被貼付対象物に貼付された場合に前記被貼付対象物の余白部分の面積が最も小さくなるように、前記用紙の枚数及び向きを決定し、当該枚数及び向きの前記用紙のそれぞれに対して、分割された前記画像データを印刷させることを特徴とする請求項１に記載の印刷制御装置。
【請求項３】
決定された枚数及び向きの前記用紙が、前記被貼付対象物に貼付された場合に前記被貼付対象物の余白部分の面積が最も小さくなるように配置されたときのサイズに応じた相対比の領域であって、取得された前記画像データが表示される画像データ作成表示領域を表示部に表示させる表示制御手段を備えることを特徴とする請求項２に記載の印刷制御装置。
【請求項４】
前記被貼付対象物情報には、前記被貼付対象物同士の間の隙間のサイズが含まれ、
前記表示制御手段は、前記被貼付対象物情報に基づき、前記画像データ作成表示領域とともに、前記隙間に応じた相対比の隙間表示領域を前記表示部に表示させることを特徴とする請求項３に記載の印刷制御装置。
【請求項５】
前記印刷制御手段は、前記印刷部が縁なし印刷できない場合には、前記印刷部における前記用紙の有効印字範囲に基づき、前記用紙の枚数及び向きを決定することを特徴とする請求項２から４のいずれか一項に記載の印刷制御装置。
【請求項６】
前記被貼付対象物のサイズは、縦サイズ及び横サイズで構成されることを特徴とする請求項１から５のいずれか一項に記載の印刷制御装置。
【請求項７】
連続して配置される複数の被貼付対象物に貼付される印刷物の印刷を制御する印刷制御装置のコンピュータを、
前記被貼付対象物のサイズ及び配置を含む被貼付対象物情報を取得する取得手段、
前記取得手段により取得された前記被貼付対象物情報及び用紙のサイズに応じて画像データを分割し、分割された前記画像データを、印刷部により印刷させる印刷制御手段、
として機能させるためのプログラム。
【発明の詳細な説明】
【技術分野】
【０００１】
本発明は、印刷制御装置及びプログラムに関する。
【背景技術】
【０００２】
従来、建物において連続して配置される複数の窓ガラスや、コインロッカーにおいて連続して配置される複数の扉等のような被貼付対象物に、販売促進等を目的としたポスターや広告等の印刷物が貼付される場合がある。そのような印刷物は、サイズが大きいため、家庭用のプリンタを活用して、Ａ４やＢ５といった通常サイズのカット紙を用いて作成することは困難であり、通常、印刷業者への発注等によって作成されている。
【０００３】
これに対し、例えば、１枚の大きな印刷物を作成するために、印刷データを拡大して分割し、分割された印刷データのそれぞれに対し識別子を付与し、これを複数枚の用紙に印刷する技術が提案されている（例えば、特許文献１参照）。
【先行技術文献】
【特許文献】
【０００４】
【特許文献１】特開２００２−１５４２５１号公報
【発明の概要】
【発明が解決しようとする課題】
【０００５】
しかしながら、当該技術にあっては、印刷データをどのように分割するかはユーザの任意であり、作成した印刷物を複数の被貼付対象物に貼付して使用する場合には、ユーザ自身が被貼付対象物のサイズや配置等を考慮しながら印刷データをどのように分割するかを決定しなければならず、煩雑である。
【０００６】
そこで、本発明は、連続して配置される複数の被貼付対象物に貼付される印刷物を、家庭用のプリンタにより容易に作成する印刷制御装置及びプログラムを提供することを目的としている。
【課題を解決するための手段】
【０００７】
以上の課題を解決するため、請求項１に記載の発明の印刷制御装置は、
連続して配置される複数の被貼付対象物に貼付される印刷物の印刷を制御する印刷制御装置において、
前記被貼付対象物のサイズ及び配置を含む被貼付対象物情報を取得する取得手段と、
前記取得手段により取得された前記被貼付対象物情報及び用紙のサイズに応じて画像データを分割し、分割された前記画像データを、印刷部により印刷させる印刷制御手段と、を備えることを特徴とする。
【発明の効果】
【０００８】
本発明によれば、連続して配置される複数の被貼付対象物に貼付される印刷物を、家庭用のプリンタにより容易に作成する印刷制御装置及びプログラムを提供することができる。
【図面の簡単な説明】
【０００９】
【図１】本実施形態の印刷物作成システムを示す概略構成図である。
【図２】サーバの機能構成を示すブロック図である。
【図３】ＰＣの機能構成を示すブロック図である。
【図４】サーバにより行われる窓ガラス用印刷物作成処理の一例を示すフローチャートである。
【図５】新規作成画面の一例を示す図である。
【図６】窓ガラス情報入力画面の一例を示す図である。
【図７】窓ガラスの余白部分の面積が最も小さくなるように用紙を縦向き又は横向きで配置したときの例を示す図である。
【図８】ＰＯＰ作成画面の一例を示す図である。
【図９】ＰＯＰデータ作成後のＰＯＰ作成画面の一例を示す図である。
【図１０】窓枠表示領域を表示させた場合のＰＯＰ作成画面の一例を示す図である。
【図１１】ＰＯＰデータの文字の一部を編集した後のＰＯＰ作成画面の一例を示す図である。
【発明を実施するための形態】
【００１０】
以下に、本発明を実施するための形態について図面を用いて説明する。ただし、以下に述べる実施形態には、本発明を実施するために技術的に好ましい種々の限定が付されているが、発明の範囲を以下の実施形態及び図示例に限定するものではない。
【００１１】
《印刷物作成システム１の構成》
まず、図１を参照して、本実施形態の構成を説明する。図１は、本実施形態の印刷物作成システム１の概略構成図である。
【００１２】
本実施形態の印刷物作成システム１は、ユーザの所望のＰＯＰ（Point of purchase advertising）データ（画像データ）を窓ガラス情報（被貼付対象物情報）及び用紙のサイズに応じて分割し、分割されたＰＯＰデータを印刷することで、連続して配置される複数の被貼付対象物である窓ガラスに対して貼付される印刷物を作成できるシステムである。
【００１３】
図１に示すように、印刷物作成システム１は、サーバ（印刷制御装置）４と、ユーザ端末であるスマートフォンやタブレット端末等の携帯端末２ａ、２ｂと、ＰＣ（personal computer）３ａ、３ｂと、印刷装置（印刷部）１１と、を備えて構成され、各装置が通信ネットワークＮを介して通信接続される。以下、携帯端末２ａ、２ｂやＰＣ３ａ、３ｂを総称してユーザ端末と記すことがある。
【００１４】
サーバ４は、販売促進のための広告媒体としてユーザ端末を介して作成されるＰＯＰデータや、ユーザ端末を介して入力される窓ガラスのサイズ及び配置、並びに、窓ガラス同士の間の隙間として窓枠のサイズ等を含む窓ガラス情報を記録し、管理する。また、サーバ４は、ユーザ端末からの要求に応じて、作成する印刷物のサイズを選択するための新規作成画面５、窓ガラス情報を入力するための窓ガラス情報入力画面６、及び、ユーザがＰＯＰデータを作成するためのＰＯＰ作成画面７等の表示情報をユーザ端末に配信する。
【００１５】
携帯端末２ａ、２ｂ及びＰＣ３ａ、３ｂ等のユーザ端末は、サーバ４から送信される各種表示情報を受信して表示し、またユーザの操作入力を受け付けてその操作情報をサーバ４へ送信する。
【００１６】
印刷装置１１は、電子写真式、インクジェット式等の家庭用プリンタで構成され、入力される印刷指示に応じて、各種プリント情報を用紙にプリントする。本実施形態では、分割されたＰＯＰデータを複数の用紙に対して印刷する。ここで、用紙としては、家庭用プリンタにて使用可能であればいずれであっても良く、例えば、Ａ４サイズやＢ５サイズ等の普通紙が用いられる。
【００１７】
通信ネットワークＮは、インターネットにより構成されているものとするが、ＬＡＮ（Local Area Network）、ＷＡＮ（Wide Area Network）等を含めても良く、電話回線、専用線、移動体通信網、通信衛星網、ＣＡＴＶ（Cable Television）回線等を含めても良い。
【００１８】
また、印刷物作成システム１は、各種ユーザ端末で利用される他のアプリケーションプログラムを実行可能なように構成されていても良い。当該アプリケーションプログラムとしては、例えば、店舗の日別・月別の売上集計や分析を行う売上管理業務や、固定資産税や個人事業税等の納税処理を行う会計管理業務や、従業員の給与計算の処理を行う給与管理業務や、店舗の人員シフトの管理と従業員の勤怠管理の処理を行う就業管理業務や、関連事業者や従業員への通達文書の作成・管理を行う文書管理業務等を行うものが挙げられ、これらが実行可能とされていることで、印刷物作成システム１が経営支援システムとして機能するものとしても良い。
【００１９】
《サーバ４の構成》
次いで、サーバ４の内部構成を説明する。図２に、サーバ４の内部構成を示す。
【００２０】
図２に示すように、サーバ４は、ＣＰＵ（Central Processing Unit）４１と、操作入力部４２と、ＲＡＭ（Random Access Memory）４３と、サーバ表示部４４と、記憶部４５と、通信部４６と、計時部４７と、を備えて構成され、各部がバス４８を介して接続されている。
【００２１】
ＣＰＵ４１は、記憶部４５に記憶されているシステムプログラムを読み出し、ＲＡＭ４３のワークエリアに展開し、当該システムプログラムに従って各部を制御する。また、ＣＰＵ４１は、記憶部４５に記憶されている処理プログラムを読み出してワークエリアに展開し、後述する窓ガラス用印刷物作成処理のサーバ４側の処理を始めとする各種処理を実行し、取得手段、印刷制御手段及び表示制御手段として機能する。
【００２２】
操作入力部４２は、カーソルキー、文字、数字入力キー及び各種機能キー等を備えたキーボードを含む構成とし、ユーザによる各キーの押下入力を受け付けてその操作情報をＣＰＵ４１に出力する。また、操作入力部４２は、マウス等のポインティングデバイスを含み、位置入力を受け付けて操作情報としてＣＰＵ４１に出力することとしても良い。
【００２３】
ＲＡＭ４３は、揮発性のメモリーである。また、ＲＡＭ４３は、実行される各種プログラムやこれら各種プログラムに係るデータ等を格納するワークエリアを有する。
【００２４】
サーバ表示部４４は、ＬＣＤ（Liquid Crystal Display）、ＣＲＴ（Cathode Ray Tube）等で構成され、ＣＰＵ４１からの表示制御信号に従って画面表示を行う。
【００２５】
記憶部４５は、磁気記録媒体を有するＨＤＤ（Hard Disk Drive）等により構成される。記憶部４５には、ＣＰＵ４１で実行されるシステムプログラムや処理プログラム、Ｗｅｂサーバプログラム等のアプリケーションプログラム、これらのプログラムの実行に必要なデータ等が記憶されている。処理プログラムには、後述する窓ガラス用印刷物作成処理のサーバ４側の処理を始めとする各種処理を実行するためのプログラムが含まれる。
これらのプログラムは、コンピュータ読み取り可能なプログラムコードの形態で記憶部４５に格納されている。ＣＰＵ４１は、当該プログラムコードに従った動作を逐次実行する。
【００２６】
また、記憶部４５は、ユーザ端末から送信される各種データを記憶する。
例えば、記憶部４５は、ユーザ端末を介して作成されたＰＯＰデータ、ユーザ端末を介して入力された窓ガラス情報等を記憶する。
【００２７】
通信部４６は、モデム、ＴＡ（Terminal Adapter）、ルータ、ネットワークカード等により構成される。通信部４６は、通信ネットワークＮ上のユーザ端末等の外部機器と通信接続してデータ送受信を行う。
【００２８】
計時部４７は、計時回路を内蔵し、現在の時刻及び日付を計時して現在の時刻情報として出力する。
【００２９】
《ＰＣ３ａの構成》
次いで、ＰＣ３ａを例にとってユーザ端末の内部構成を説明する。図３に、ＰＣ３ａの内部構成を示す。
【００３０】
図３に示すように、ＰＣ３ａは、ＣＰＵ３１と、操作入力部３２と、ＲＡＭ３３と、端末表示部３４と、記憶部３５と、通信部３６と、を備えて構成され、各部がバス３８を介して接続されている。本実施形態では、端末表示部３４が表示部として機能する。
なお、ＰＣ３ｂ及び携帯端末２ａ、２ｂもＰＣ３ａと同様に構成されている。
【００３１】
ＣＰＵ３１、操作入力部３２、ＲＡＭ３３、端末表示部３４、記憶部３５、通信部３６は、それぞれ、サーバ４のＣＰＵ４１、操作入力部４２、ＲＡＭ４３、サーバ表示部４４、記憶部４５、通信部４６の構成と同様であり、異なる部分を主として説明する。
【００３２】
ＣＰＵ３１は、記憶部３５に記憶されているシステムプログラムを読み出し、ＲＡＭ３３のワークエリアに展開し、当該システムプログラムに従って各部を制御する。また、ＣＰＵ３１は、記憶部３５に記憶されている処理プログラムを読み出してワークエリアに展開し、後述する窓ガラス用印刷物作成処理のＰＣ３ａ側の処理を始めとする各種処理を実行する。
【００３３】
記憶部３５は、磁気記録媒体を有するＨＤＤ等により構成される。記憶部３５には、ＣＰＵ３１で実行されるシステムプログラムや処理プログラム、Ｗｅｂブラウザ等のアプリケーションプログラム、これらのプログラムの実行に必要なデータ等が記憶されている。当該処理プログラムには、後述する窓ガラス用印刷物作成処理のＰＣ３ａ側の処理を始めとする各種処理を実行するためのプログラムが含まれる。
【００３４】
通信部３６は、通信ネットワークＮ上のサーバ４等の外部機器と通信を行う。
【００３５】
《サーバ４の動作》
上記のように構成されるサーバ４により行われる窓ガラス用印刷物作成処理について、図４〜図１１を参照して説明する。図４は、窓ガラス用印刷物作成処理の一例を示すフローチャートである。図５は、端末表示部３４に表示される新規作成画面５を示す図である。図６は、端末表示部３４に表示される窓ガラス情報入力画面６を示す図である。図７は、窓ガラスの余白部分の面積が最も小さくなるように用紙を縦向き又は横向きに配置した例を示す図である。図８は、端末表示部３４に表示されるＰＯＰ作成画面７を示す図である。図９は、画像データ作成表示領域７１上にＰＯＰデータが作成された後のＰＯＰ作成画面７を示す図である。図１０は、窓枠表示領域（隙間表示領域）７３を表示させた場合のＰＯＰ作成画面７を示す図である。図１１は、ＰＯＰデータの文字の一部を編集した後のＰＯＰ作成画面７を示す図である。なお、図１０及び図１１中、斜線部分は窓枠表示領域７３を示している。
【００３６】
窓ガラス用印刷物作成処理は、ユーザが、窓ガラスに貼付される印刷物を作成しようとする任意のタイミングで行われる。例えば、作成される印刷物のサイズが一覧表示された、図５に示す新規作成画面５の中から、ユーザにより窓ガラス選択ボタン５０が選択されたときに、窓ガラス用印刷物作成処理を行う。新規作成画面５は、ユーザ端末の端末表示部３４に表示される。なお、新規作成画面５の中から他のサイズ選択ボタン５１〜５９が選択された場合には、当該サイズ選択ボタン５１〜５９に応じたサイズの画像データ作成表示領域を有する表示画面（図示略）が端末表示部３４に表示され、当該サイズの印刷物を作成することができる。
【００３７】
ユーザにより窓ガラス選択ボタン５０が選択されると、サーバ４のＣＰＵ４１は、窓ガラス情報入力画面６をポップアップ表示した後、図４に示すように、窓ガラス情報が取得されたか否かを判定する（ステップＳ１０１）。
図６に示すように、窓ガラス情報入力画面６は、窓ガラスのサイズとして「窓ガラス縦」及び「窓ガラス横」、窓ガラスの配置として「窓の枚数」、窓枠のサイズとして「窓枠の太さ」がそれぞれ入力可能に構成されている。図６に示す例では、各入力欄に実測値が入力された後の画面を示しており、「窓ガラス縦」入力欄６１に「９７０」ｍｍ、「窓ガラス横」入力欄６２に「６４０」ｍｍ、「窓の枚数」入力欄６３に「４」枚、「窓枠の太さ」入力欄６４〜６６にそれぞれ左側から「５０」ｍｍ、「７０」ｍｍ、「５０」ｍｍが入力されている。なお、図６に示す例では、「窓の枚数」入力欄６３に「４」が入力されており、「４」枚の窓ガラス同士の境目の数量は「３」であるため、「窓枠の太さ」入力欄６４〜６６が「３」個表示されているが、「窓の枚数」入力欄６３に他の数値が入力された場合には、その値に応じて「窓枠の太さ」入力欄６４〜６６の個数が増減する。また、後述するＰＯＰ作成画面７に窓枠表示領域７３を表示しない場合には、「窓枠の太さ」入力欄６４〜６６は表示されていなくても良いし、「窓枠の太さ」入力欄６４〜６６に数値が入力されなくても良い。
【００３８】
ユーザにより「戻る」ボタン６８が選択されると、窓ガラス情報が取得されないと判定され（ステップＳ１０１；ＮＯ）、ＣＰＵ４１は、窓ガラス情報入力画面６の画面表示を終了して窓ガラス用印刷物作成処理を終了し、再び新規作成画面５を端末表示部３４に表示させる。
【００３９】
一方、窓ガラス情報が入力された後、ユーザにより「ＯＫ」ボタン６７が選択されると、窓ガラス情報が取得されたと判定され（ステップＳ１０１；ＹＥＳ）、ＣＰＵ４１は、当該窓ガラス情報に基づき、窓ガラス上に用紙を配置したときにその余白面積が最も小さくなる用紙の枚数及び向きを決定する（ステップＳ１０２）。ここで、用紙のサイズとしては、一般的な家庭用プリンタにて使用可能なＡ４サイズに設定されているものとして以下説明するが、用紙サイズはユーザにより任意に設定変更が可能である。また、窓ガラスに対する用紙の配置としては、いずれの用紙もその全面が窓ガラスに重なる、つまりいずれの用紙も窓ガラスからはみ出る部分（窓ガラスに重ならない部分）がないように配置され、かつ用紙同士が互いに重なり合わないように配置される。また、用紙の向きとしては、縦向き又は横向きから選択され、縦向きは用紙の長辺が縦方向に配置されること、横向きは用紙の長辺が横方向に配置されることをいうものとする。
なお、窓ガラス情報入力画面６にて、窓ガラス情報が入力されることなく「ＯＫ」ボタン６７が選択された場合にはエラー表示が行われるものとしても良いし、窓ガラス情報が未入力の場合には「ＯＫ」ボタン６７が選択されないように構成されているものとしても良い。
【００４０】
具体的には、例えば、窓ガラス情報入力画面６で入力されたサイズの窓ガラスに対し、余白面積が最も小さくなるように縦向き又は横向きでＡ４サイズ用紙が配置された場合、図７に示すような配置となる。すなわち、図７においてはＡ４サイズ用紙の配置が実線ａ、窓ガラスの配置が破線ｂで示されており、図７（ａ）は、用紙を縦向きに配置した場合、図７（ｂ）は、用紙を横向きに配置した場合をそれぞれ示している。
用紙を縦向きに配置した場合、縦向きＡ４サイズ用紙（以下、縦Ａ４用紙ともいう。）の縦の長さは２９７ｍｍであり、窓ガラスの縦の長さは９７０ｍｍであるため、ＣＰＵ４１は、２９７×αＨ＜９７０＜２９７×（αＨ＋１）となる整数αＨ＝３を算出する。また、縦Ａ４用紙の横の長さは２１０ｍｍであり、窓ガラスの横の長さは６４０ｍｍであるため、ＣＰＵ４１は、２１０×βＨ＜６４０＜２１０×（βＨ＋１）となる整数βＨ＝３を算出する。よって、Ａ４サイズ用紙を縦向きに配置した場合には、図７（ａ）に示すように、１枚の窓ガラスに対してαＨ×βＨ＝９枚の縦Ａ４用紙が配置される。したがって、余白面積は、窓ガラスの面積（９７０×６４０）−縦Ａ４用紙９枚の面積（２９７×２１０×９）＝５９４７０ｍｍ２となる。
用紙を横向きに配置した場合、横向きＡ４サイズ用紙（以下、横Ａ４用紙ともいう。）の縦の長さは２１０ｍｍであり、窓ガラスの縦の長さは９７０ｍｍであるため、ＣＰＵ４１は、２１０×αＷ＜９７０＜２１０×（αＷ＋１）となる整数αＷ＝４を算出する。また、縦Ａ４用紙の横の長さは２９７ｍｍであり、窓ガラスの横の長さは６４０ｍｍであるため、ＣＰＵ４１は、２９７×βＷ＜６４０＜２９７×（βＷ＋１）となる整数βＷ＝２を算出する。よって、Ａ４サイズ用紙を横向きに配置した場合には、図７（ｂ）に示すように、１枚の窓ガラスに対してαＷ×βＷ＝８枚の横Ａ４用紙が配置される。したがって、余白面積は、窓ガラスの面積（９７０×６４０）−横Ａ４用紙８枚の面積（２１０×２９７×８）＝１２１８４０ｍｍ２となる。
したがって、図７に示す例においては、ＣＰＵ４１は、窓ガラスにＡ４サイズ用紙を配置したときに余白面積が最も小さくなる枚数及び向きは、縦Ａ４用紙９枚を、窓ガラス情報入力画面６にて「窓の枚数」入力欄６３に入力された「４」枚の窓ガラスにそれぞれ配置したときであるから、９×４＝３６枚及び縦向きであると決定する。
【００４１】
なお、印刷装置１１が縁なし印刷できない構成である場合には、ＣＰＵ４１は、当該印刷装置１１における有効印字範囲に基づき、Ａ４サイズ用紙の枚数及び向きを決定する。例えば、印刷装置１１における非有効印字範囲の幅がＸ（ｍｍ）である場合、ＣＰＵ４１は、Ａ４サイズ用紙のサイズを（２９７ｍｍ−Ｘｍｍ）×（２１０ｍｍ−Ｘｍｍ）と仮定して、窓ガラスにＡ４サイズ用紙を配置したときに余白面積が最も小さくなる枚数及び向きを決定する。この場合には、印刷物の作成後、非有効印字範囲を断裁又は折り曲げる等してから、窓ガラスに貼付することが好ましい。
【００４２】
次に、ＣＰＵ４１は、図４に示すように、ＰＯＰ作成画面７を端末表示部３４に表示する（ステップＳ１０３）。
図８に示すように、ＰＯＰ作成画面７には、ユーザが作成しようとするＰＯＰデータが表示される画像データ作成表示領域７１が表示され、当該画像データ作成表示領域７１の上方及び左方にはＰＯＰデータを編集するための各種編集ボタン７２が表示されている。画像データ作成表示領域７１は、ステップＳ１０２で決定した枚数及び向きのＡ４サイズ用紙を、窓ガラスの余白部分の面積が最も小さくなるように配置されたときのサイズに応じた相対比の領域である。したがって、図８に示す例においては、縦Ａ４用紙を縦にαＨ＝３枚、横にβＨ×４（窓の枚数）＝１２枚配置した場合、つまり、縦が２９７ｍｍ×３枚＝８９１ｍｍ、横が２１０ｍｍ×１２枚＝２５２０ｍｍのサイズに応じた相対比の領域となっている。これにより、ユーザは、実際に作成される、窓ガラスに貼付可能なサイズの印刷物の縦横比を考慮してＰＯＰデータを作成することができる。また、画像データ作成表示領域７１には、配列されたと仮定される用紙同士の境目を示す補助線７１１が格子状に表示されており、印刷装置１１が縁なし印刷できない構成である場合等に、ユーザが用紙同士の境目を考慮しながらＰＯＰデータを作成することができる。
なお、ユーザによりＰＯＰ作成画面７の「設定」ボタン７６が選択されて、補助線７１１が表示されないことが選択された場合、画像データ作成表示領域７１上に補助線７１１が表示されないようにしても良い。この場合には、画像データ作成表示領域７１上にはユーザにより作成されるＰＯＰデータのみが表示されることとなるので、ユーザはＰＯＰデータをより快適に作成できることとなる。
【００４３】
次に、ＣＰＵ４１は、ユーザによる操作に基づきＰＯＰデータを作成する（ステップＳ１０４）。例えば、ＰＯＰ作成画面７において、ユーザにより各種編集ボタン７２が適宜選択・操作されることで、ＣＰＵ４１は、画像データ作成表示領域７１上に図９に示すようなＰＯＰデータを作成することができる。ここで、ユーザにより「設定」ボタン７６が選択されて、ＰＯＰ作成画面７に更に窓枠表示領域７３を表示させることが選択された場合、ＣＰＵ４１は、図１０に示すように、ＰＯＰ作成画面７に画像データ作成表示領域７１とともに窓枠表示領域７３を表示する。より具体的には、画像データ作成表示領域７１を、窓ガラス情報入力画面６の「窓の枚数」入力欄６３に入力された窓ガラスの枚数「４」に対応して分割し、その間に、窓ガラス情報入力画面６の「窓枠の太さ」入力欄６４〜６６に入力された数値に基づく窓枠の相対比の窓枠表示領域７３が表示される。したがって、窓枠表示領域７３のうち、画像データ作成表示領域７１同士の間の部分は、窓枠の実測値の相対比となっているが、画像データ作成表示領域７１の周囲の部分は、実測値に基づくものではなく、予め設定されたサイズで表示されたものである。これは、実際に印刷物が複数の窓ガラスに貼付された際に、印刷物の見え方に影響を与える部分は主に窓ガラス同士の間の窓枠の太さであり、窓ガラスの周囲の窓枠の太さは印刷物の見え方にそれ程影響を与えないと考えられるためである。このような窓枠表示領域７３が画像データ作成表示領域７１とともに表示されることで、ユーザは、実際に印刷物が窓ガラスに貼付された際の見え方に近い状態でＰＯＰデータの作成を行うことができる。
【００４４】
また、図１０には、窓枠表示領域７３とともに、窓ガラス情報入力画面６の「窓ガラス縦」入力欄６１及び「窓ガラス横」入力欄６２に入力された数値に基づく窓ガラスの相対比の窓ガラス表示領域７４が表示されている。また、窓ガラス表示領域７４は、「窓の枚数」入力欄６３に入力された窓ガラスの枚数「４」に基づき、４つの領域で構成されている。各窓ガラス表示領域７４は、上記「４」分割された画像データ作成表示領域７１の外側であって、窓枠表示領域７３の内側に配置される。このような窓ガラス表示領域７４が表示されることで、実際に印刷物が窓ガラスに貼付された際の見え方により近い状態でＰＯＰデータの作成を行うことができる。なお、図示例では、上記「４」分割された各画像データ作成表示領域７１が、各窓ガラス表示領域７４に対して縦方向及び横方向に中央揃えされて表示されているが、これに限られるものではない。例えば、ＣＰＵ４１は、ユーザによる操作に応じて、分割された各画像データ作成表示領域７１を各窓ガラス表示領域７４内において適宜配置変更するものとしても良い。
【００４５】
ここで、例えば、図１０に示す例では、ＰＯＰデータに「春の行楽フェア」の文字が含まれているが、「春の行楽フェア」のうち「楽」の文字及び「ェ」の文字が窓枠表示領域７３によって分割されてしまっている。これを確認したユーザが「楽」及び「ェ」の文字が分割されていることにより印刷物の訴求力が低下すると判断した場合、ユーザにより各種編集ボタン７２が適宜操作されることで、ＣＰＵ４１はＰＯＰデータを更に編集することができる。例えば、図１１に示すように、ユーザによる操作に応じて、ＣＰＵ４１は当該「楽」及び「ェ」の文字が窓枠表示領域７３によって分割されることがないように、「楽」の文字を含むオブジェクト及び「ェ」の文字を含むオブジェクトの位置を窓枠表示領域７３から遠ざけるように矢印ｃ方向に移動させる編集を行うことができる。これによって窓ガラスに貼付された場合であっても訴求力が低下しにくい印刷物を作成することができる。また、図１１においては、「楽」に隣接する「フ」の文字を含むオブジェクト、及び「ェ」に隣接する「ア」の文字を含むオブジェクトを併せて移動させた例を示しており、このような編集が行われることで、「春の行楽フェア」の文字全体のバランスが取られている。
なお、ＣＰＵ４１は、窓枠表示領域７３の表示と同時に、ＰＯＰデータを構成する文字のうち窓枠表示領域７３の表示によって分割される文字を識別し、識別された文字を窓枠表示領域７３の表示により分割されない位置に移動させるように編集を行うものとしても良い。
【００４６】
次に、図４に示すように、ＣＰＵ４１は、作成したＰＯＰデータを記憶するか否かを判定する（ステップＳ１０５）。例えば、ユーザによりＰＯＰ作成画面７の「上書き保存」ボタン７７又は「追加保存」ボタン７８が選択されたか否かに基づき、ＰＯＰデータを記憶するか否かを判定する。
【００４７】
作成したＰＯＰデータを記憶すると判定されると（ステップＳ１０５；ＹＥＳ）、ＣＰＵ４１は、作成したＰＯＰデータを記憶部４５に記憶させる（ステップＳ１０６）。一方、作成したＰＯＰデータを記憶しないと判定されると（ステップＳ１０５；ＮＯ）、ＣＰＵ４１は、ステップＳ１０６の処理を省略する。
【００４８】
次に、ＣＰＵ４１は、ＰＯＰデータを印刷するか否かを判定する（ステップＳ１０７）。例えば、ユーザによりＰＯＰ作成画面７の「印刷」ボタン７５が選択された否かに基づき、ＰＯＰデータを印刷するか否かを判定する。
【００４９】
ＰＯＰデータを印刷すると判定されると（ステップＳ１０７；ＹＥＳ）、ＣＰＵ４１は、窓ガラス情報及び用紙のサイズに応じてＰＯＰデータを分割して、ステップＳ１０２で決定された枚数及び向きのＡ４サイズ用紙に対して、印刷装置１１により印刷する（ステップＳ１０８）。
具体的には、作成したＰＯＰデータを、決定された枚数及び向きの用紙の配置に応じて（画像データ作成表示領域７１の補助線７１１に沿って）３６分割し、分割したＰＯＰデータを画像データ作成表示領域７１における左上から順番に、３６枚の縦Ａ４用紙に対して印刷装置１１にて印刷する。なお、ＣＰＵ４１は、分割されたＰＯＰデータとともに、分割前のＰＯＰデータにおける位置を示す符号を併せて印刷するものとしても良い。例えば、画像データ作成表示領域７１において左上から順に、符号として１〜３６の数字を印刷しても良い。当該符号は、用紙の表面（ＰＯＰデータが印刷される側の面）にＰＯＰデータの内容に影響を与えないようなサイズ及び位置で印刷されるものとしても良いし、用紙の裏面に印刷されるものとしても良い。これらのような符号が印刷されていることで、ユーザは作成した印刷物をより容易に窓ガラスに添付することができる。
【００５０】
また、ＰＯＰデータを印刷しないと判定されると（ステップＳ１０７；ＮＯ）、ＣＰＵ４１は、ステップＳ１０８の処理を省略する。
【００５１】
次に、ＣＰＵ４１は、ＰＯＰ作成画面７の画面表示を終了するか否かを判定する（ステップＳ１０９）。例えば、ユーザによりＰＯＰ作成画面７を閉じる操作、すなわち「戻る」ボタン７９が選択されたか否かに基づき、画面表示を終了するか否かを判定する。ＰＯＰ作成画面７の画面表示を終了しないと判定されると（ステップＳ１０９；ＮＯ）、ＣＰＵ４１は、再びステップＳ１０４の処理を行い、新たなＰＯＰデータを作成するものとしても良いし、作成が完了していないＰＯＰデータの作成を再開するものとしても良い。ＰＯＰ作成画面７の画面表示を終了すると判定されると（ステップＳ１０９；ＹＥＳ）、ＣＰＵ４１は、ＰＯＰ作成画面７の表示を終了し、窓ガラス用印刷物作成処理を終了する。
以上のようにして窓ガラス用印刷物作成処理を行う。
【００５２】
《本実施形態の技術的効果》
本実施形態によれば、連続して配置される複数の窓ガラスに貼付される印刷物の印刷を制御するサーバ４が、窓ガラスのサイズ及び配置を含む窓ガラス情報を取得し、取得された窓ガラス情報及び用紙のサイズに応じてＰＯＰデータを分割し、分割されたＰＯＰデータを、印刷装置１１により印刷させるＣＰＵ４１を備えるので、複数の窓ガラスに貼付される印刷物を家庭用のプリンタにより容易に作成することができる。
【００５３】
また、ＣＰＵ４１は、窓ガラス情報に基づき、印刷物が窓ガラスに貼付された場合に窓ガラスの余白部分の面積が最も小さくなるように、Ａ４サイズ用紙の枚数及び向きを決定し、当該枚数及び向きのＡ４サイズ用紙のそれぞれに対して、分割されたＰＯＰデータを印刷させるので、複数の窓ガラスのサイズに収まる範囲で可能な限り大きな印刷物を作成することができ、訴求力の高い印刷物とすることができる。また、印刷物が複数の窓ガラスのサイズに収まり、窓ガラスからはみ出た状態で貼付されるといったことがないため、印刷物を更に断裁するといった手間を省くことができる。
【００５４】
また、ＣＰＵ４１が、決定された枚数及び向きのＡ４サイズ用紙が、窓ガラスに貼付された場合に当該窓ガラスの余白部分の面積が最も小さくなるように配置されたときのサイズに応じた相対比の領域であって、取得されたＰＯＰデータが表示される画像データ作成表示領域７１を端末表示部３４に表示させるので、ユーザは、実際に印刷物が窓ガラスに貼付されたときのサイズを意識してＰＯＰデータを作成することができる。
【００５５】
また、窓ガラス情報には、窓ガラス同士の間の窓枠のサイズが含まれ、ＣＰＵ４１が、当該窓ガラス情報に基づき、画像データ作成表示領域７１とともに、窓枠に応じた相対比の窓枠表示領域７３を端末表示部３４に表示させるので、ユーザは、実際に印刷物が窓ガラスに貼付されたときのサイズ及び窓枠のサイズを意識してＰＯＰデータを作成することができる。
【００５６】
また、ＣＰＵ４１が、印刷装置１１が縁なし印刷できない場合には、印刷装置１１におけるＡ４サイズ用紙の有効印字範囲に基づき、Ａ４サイズ用紙の枚数及び向きを決定するので、印刷装置１１の構成によらず、複数の窓ガラスに収まる範囲内において可能な限り大きな印刷物を作成することができる。
【００５７】
また、窓ガラスのサイズは、縦サイズ及び横サイズで構成されるので、ユーザは容易にその入力を行うことができる。
【００５８】
《その他》
なお、上記実施形態における記述は、本発明に係る好適な経営支援装置の一例であり、これに限定されるものではない。
【００５９】
例えば、上記した実施形態では、サーバ４は、ユーザ端末を介して入力された窓ガラス情報や、ユーザ端末を介して作成されたＰＯＰデータを記憶部４５に記憶させ、各種表示画面を表示部として機能する端末表示部３４に表示させるものとしたが、これに限られるものではない。例えば、サーバ４が、操作入力部４２から入力された窓ガラス情報や、操作入力部４２により作成されたＰＯＰデータ等を記憶部４５に記憶し、各種表示画面を表示部として機能するサーバ表示部４４に表示させるように構成されていても良い。また、ＰＣ３ａが、操作入力部３２から入力された窓ガラス情報や、操作入力部３２により作成されたＰＯＰデータ等を記憶部３５に記憶し、各種表示画面を表示部として機能する端末表示部３４に表示するように構成されていても良く、この場合にはＰＣ３ａ自体が印刷制御装置として機能する。
【００６０】
また、上記した実施形態では、被貼付対象物が建物における窓ガラスであるものとして説明したが、これに限られるものではなく、被貼付対象物は、連続して複数配置されるものであればいずれであっても良い。例えば、建物における扉やパーティション、コインロッカーにおける扉、収納キャビネットにおける扉や引き出し、車両等の移動体の窓や扉等を挙げることができ、本発明はこれらの被貼付対象物に対しても適用することができる。
【００６１】
また、上記した実施形態では、印刷物作成システム１が、ユーザによる操作に基づき作成されたＰＯＰデータを分割して印刷するものとしたが、これに限られるものではなく、通信部４６を介して外部から取得された画像データ、又はユーザにより入力された画像データを分割して印刷するように構成されているものとしても良い。
【００６２】
また、上記した実施形態では、複数の窓ガラスが全て同じサイズであることを前提として、窓ガラス情報入力画面６が構成されているものとしたが、複数の窓ガラスが互いに異なるサイズである場合にも対応可能なように、これを入力可能に構成されていても良い。また、複数の窓ガラスが横一列に連続して配置されていることを前提として、窓ガラス情報入力画面６が構成されているものとしたが、複数の窓ガラスが縦一列や縦及び横に連続して配置されている場合に、これを入力可能に構成されていても良い。また、複数の窓ガラスが全て矩形状であることを前提として、窓ガラス情報入力画面６が構成されているものとしたが、複数の窓ガラスが矩形状以外の形状である場合にも対応可能なように、これを入力可能に構成されていても良い。いずれの場合にも、入力された窓ガラス情報及び用紙のサイズに応じて、印刷物が窓ガラスに貼付された場合に余白部分の面積が最も小さくなるように用紙の枚数及び向きを決定し、当該用紙の枚数及び向きに基づき画像データ作成表示領域７１が表示されることが好ましい。
【００６３】
また、上記した実施形態では、窓ガラス情報入力画面６には「窓枠の太さ」入力欄６４〜６６が表示され、窓枠の太さが入力されるものとしたが、これに限られるものではない。例えば、窓ガラス同士の間に、窓枠だけでなく建物の壁面が存在するような場合に、窓ガラス同士の間の距離、すなわち窓枠の太さと当該壁面の長さを合計した長さを、「窓枠の太さ」入力欄６４〜６６に入力しても良い。
【００６４】
また、上記した実施形態では、窓ガラス同士の間の隙間として窓枠のサイズのみを入力可能に窓ガラス情報入力画面６が構成されているものとしたが、窓ガラス同士の間のみならず、窓ガラスの周囲に配置される窓枠のサイズをも入力可能に構成されていても良い。この場合には、その入力内容に基づき、窓ガラスの周囲に配置される窓枠の相対比の窓枠表示領域７３が表示されるものとしても良い。これにより、実際に印刷物が窓ガラスに貼付された際の見え方により近い状態でＰＯＰデータの作成を行うことができる。
【００６５】
上記した実施形態では、用紙の枚数及び向きを決定するに当たり、窓ガラスに重なるように配置された複数の用紙のいずれも窓ガラスからはみ出る部分（窓ガラスに重ならない部分）がなく、かつ各窓ガラスにおいて用紙が重ならない余白部分の面積が最も小さくなるように用紙を配置するものとしたが、これに限られるものではない。例えば、窓ガラスの全面が用紙に重なり、かつ用紙の窓ガラスからはみ出る部分（窓ガラスに重ならない部分）の面積が最も小さくなるように用紙を配置し、その枚数及び向きを決定するものとしても良い。この場合には、ＣＰＵ４１は、窓ガラスのサイズに応じた相対比の画像データ作成表示領域７１を表示しても良い。また、この場合には、ＣＰＵ４１は、作成されたＰＯＰデータを決定された枚数及び向きの用紙の配置に応じて分割し、上記窓ガラスに重ならない部分には画像が印刷されないように、分割したＰＯＰデータを印刷するものとしても良い。このようにして印刷物が作成された場合には、ユーザは、当該印刷物のうち窓ガラスに重ならない部分を裁断して、これを取り除いた上で、窓ガラスに貼付するものとしても良い。
【００６６】
また、上記した実施形態では、窓ガラス情報入力画面６にて窓ガラス情報が入力されるものとしたが、ＰＯＰ作成画面７において窓ガラス情報を入力・変更できるものとしても良い。
また、ＰＯＰ作成画面７において、窓枠表示領域７３の色を変更できるものとしても良く、この場合には、窓枠表示領域７３の色を実際の窓枠の色に変更することで、実際に印刷物が窓ガラスに貼付された際の見え方により近い状態でＰＯＰデータの作成を行うことができる。
【００６７】
また、上記した実施形態では、分割したＰＯＰデータを画像データ作成表示領域７１における左上から順番に符号を付し、左上から順番に印刷するものとしたが、符号及び印刷の順番はいずれであっても良い。
【００６８】
また、上記した実施形態では、本発明に係るプログラムのコンピュータ読み取り可能な媒体としてハードディスクや半導体の不揮発性メモリー等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウェーブ（搬送波）も適用される。
【００６９】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
連続して配置される複数の被貼付対象物に貼付される印刷物の印刷を制御する印刷制御装置において、
前記被貼付対象物のサイズ及び配置を含む被貼付対象物情報を取得する取得手段と、
前記取得手段により取得された前記被貼付対象物情報及び用紙のサイズに応じて画像データを分割し、分割された前記画像データを、印刷部により印刷させる印刷制御手段と、を備えることを特徴とする印刷制御装置。
＜請求項２＞
前記印刷制御手段は、前記被貼付対象物情報に基づき、前記印刷物が前記被貼付対象物に貼付された場合に前記被貼付対象物の余白部分の面積が最も小さくなるように、前記用紙の枚数及び向きを決定し、当該枚数及び向きの前記用紙のそれぞれに対して、分割された前記画像データを印刷させることを特徴とする請求項１に記載の印刷制御装置。
＜請求項３＞
決定された枚数及び向きの前記用紙が、前記被貼付対象物に貼付された場合に前記被貼付対象物の余白部分の面積が最も小さくなるように配置されたときのサイズに応じた相対比の領域であって、取得された前記画像データが表示される画像データ作成表示領域を表示部に表示させる表示制御手段を備えることを特徴とする請求項２に記載の印刷制御装置。
＜請求項４＞
前記被貼付対象物情報には、前記被貼付対象物同士の間の隙間のサイズが含まれ、
前記表示制御手段は、前記被貼付対象物情報に基づき、前記画像データ作成表示領域とともに、前記隙間に応じた相対比の隙間表示領域を前記表示部に表示させることを特徴とする請求項３に記載の印刷制御装置。
＜請求項５＞
前記印刷制御手段は、前記印刷部が縁なし印刷できない場合には、前記印刷部における前記用紙の有効印字範囲に基づき、前記用紙の枚数及び向きを決定することを特徴とする請求項２から４のいずれか一項に記載の印刷制御装置。
＜請求項６＞
前記被貼付対象物のサイズは、縦サイズ及び横サイズで構成されることを特徴とする請求項１から５のいずれか一項に記載の印刷制御装置。
＜請求項７＞
連続して配置される複数の被貼付対象物に貼付される印刷物の印刷を制御する印刷制御装置のコンピュータを、
前記被貼付対象物のサイズ及び配置を含む被貼付対象物情報を取得する取得手段、
前記取得手段により取得された前記被貼付対象物情報及び用紙のサイズに応じて画像データを分割し、分割された前記画像データを、印刷部により印刷させる印刷制御手段、
として機能させるためのプログラム。
【符号の説明】
【００７０】
４    サーバ（印刷制御装置）
１１  印刷装置（印刷部）
３１  端末表示部（表示部）
４１  ＣＰＵ（取得手段、印刷制御手段、表示制御手段）
７１  画像データ作成表示領域
７３  窓枠表示領域（隙間表示領域）
【図１】
2018055297.tif 000003
【図２】
2018055297.tif 000004
【図３】
2018055297.tif 000005
【図４】
2018055297.tif 000006
【図５】
2018055297.tif 000007
【図６】
2018055297.tif 000008
【図７】
2018055297.tif 000009
【図８】
2018055297.tif 000010
【図９】
2018055297.tif 000011
【図１０】
2018055297.tif 000012
【図１１】
2018055297.tif 000013